(57)【要約】
【課題】  設置後ペンキを更に塗る必要がなく、更に防水機能を備えた異質複合構造を具有する枠の部材を提供することを主な課題とする。
【解決手段】  上枠２０部材、可動辺枠３０部材、固定辺枠４０部材、及び下枠５０部材をプラスチック、或いはカーボン繊維等の材質により製造されたモジュール化された異質複合構造にする。ドア枠１０、或いは窓枠を構成する上枠２０部材、及び固定辺枠４０部材には、一体押出成型による軟質圧迫材２８，４８を具有させ、固定ドア６２、或いは固定窓の表面と緊密に接触させ、ドア枠１０、或いは窓枠を構成する可動辺枠３０部材にも一体押出成型による軟質圧迫材３８を具有させ、可動ドア、或いは可動窓の表面と緊密に接触させ水の浸入を防ぐ。
【選択図】  図６
0003101175.tif 000002
【実用新案登録請求の範囲】
【請求項１】
スライドドア、或いはスライド窓を共に構成する上枠、可動辺枠、固定辺枠、及び下枠を含み、
前記上枠、前記可動辺枠、前記固定辺枠、及び前記下枠の構造は、それぞれに所属する枠組み主体、及び複合辺枠によって構成された一体構造の異質複合構造になっており、    
前記上枠、前記可動辺枠、及び前記固定辺枠に所属する複合辺枠は、所属する枠組み主体の前側部に覆い被さっており、
前記下枠に所属する複合辺枠は、所属する枠組み主体の後側部に覆い被さっており、
前記上枠に所属する枠組み主体は、スライド溝と固定溝を具有し、
前記可動辺枠に所属する枠組み主体は、可動ドア溝と凸部を具有し、
前記固定辺枠に所属する枠組み主体は、固定ドア溝を具有し、
前記下枠に所属する枠組み主体は、スライドレールを具有する
ことを特徴とする異質複合構造を具有する枠の部材。
【請求項２】
前記上枠、前記可動辺枠、前記固定辺枠、及び前記下枠にそれぞれ所属する枠組み主体、及び複合辺枠は、一体構造を構成する異質異色の複合構造であることを特徴とする請求項１に記載の異質複合構造を具有する枠の部材。
【請求項３】
前記上枠に所属する複合辺枠は、所属する枠組み主体の固定溝まで覆い被さっていることを特徴とする請求項１、或いは２に記載の異質複合構造を具有する枠の部材。
【請求項４】
前記可動辺枠に所属する複合辺枠は、所属する枠組み主体の凸部まで覆い被さっていることを特徴とする請求項１、或いは２に記載の異質複合構造を具有する枠の部材。
【請求項５】
前記固定辺枠に所属する枠組み主体の固定ドア溝の内側は、軟質圧迫材を具有することを特徴とする請求項１、或いは２に記載の異質複合構造を具有する枠の部材。
【請求項６】
前記上枠に所属する複合辺枠は、軟質圧迫材を具有し、前記軟質圧迫材は、枠組み主体の固定溝の内側に伸びていることを特徴とする請求項１、或いは２に記載の異質複合構造を具有する枠の部材。
【請求項７】
前記上枠、前記可動辺枠、前記固定辺枠、及び前記下枠に所属する枠組み主体は、熱可塑性発泡材質であり、所属する複合辺枠は、熱可塑性不発泡材質であることを特徴とする請求項１、或いは２に記載の異質複合構造を具有する枠の部材。
【請求項８】
前記上枠、前記可動辺枠、前記固定辺枠、及び前記下枠に所属する枠組み主体は、カーボン繊維材質であり、所属する複合辺枠は、熱可塑性不発泡材質であることを特徴とする請求項１、或いは２に記載の異質複合構造を具有する枠の部材。
【請求項９】
前記上枠、前記可動辺枠、前記固定辺枠、及び前記下枠に所属する枠組み主体は、原木を真似た色をしており、表面は、木目を真似た表面を形成していることを特徴とする請求項７に記載の異質複合構造を具有する枠の部材。
【請求項１０】
前記上枠、前記可動辺枠、前記固定辺枠、及び前記下枠に所属する枠組み主体は、原木を真似た色をしており、表面は、木目を真似た表面を形成していることを特徴とする請求項８に記載の異質複合構造を具有する枠の部材。
【考案の詳細な説明】
【技術分野】
【０００１】
本考案は、異質複合構造を具有するドア枠、或いは窓枠の部材に係り、特にドア枠、或いは窓枠を構成する上枠、可動辺枠、固定辺枠、及び下枠が、モジュール化された異質複合構造になっており、枠組みの正面と背面は、各種の異なる色の組合せを形成しており、室内、或いは室外の壁面の色に合わせてドア枠、或いは窓枠の部材を選択し、スライドドアのドア枠、或いはスライド窓の窓枠を組み立てることができ、ペンキを更に塗る必要がなく、室内、或いは室外の壁面の色の変化に合わせることができる異質複合構造を具有する枠の部材に関わる。
【背景技術】
【０００２】
スライドドアのドア枠、或いはスライド窓の窓枠は、一般に天然木材、或いはプラスチック材質により製造されており、そのためドア枠、窓枠の正面、或いは背面は同様の色であり、色の上での区別はない。しかしながら、室内、或いは室外の色に合わせたり、一致させるために、壁面にスライドドアのドア枠、或いはスライド窓の窓枠を取り付けた後、スライドドアのドア枠、或いはスライド窓の窓枠の正面か背面、或いは正面と背面に、適当な色のペンキを更に塗る必要があり、それにより室内、或いは室外の格調と変化を表現している。つまり、伝統的なスライドドアのドア枠、或いはスライド窓の窓枠は、よくペンキを塗る必要が発生し、消費者に掛かるコストから考えて、経済的ではない。
【０００３】
【特許文献１】特開２０００−１９９３７６号公報
【考案の開示】
【考案が解決しようとする課題】
【０００４】
前記公知構造の欠点を解決するため、本考案は、共に、ドア枠、或いは窓枠を構成する上枠、可動辺枠、固定辺枠、及び下枠を含み、それらは、プラスチック、或いはカーボン繊維等の材質により製造されたモジュール化された異質複合構造であり、正面と背面は、同様、或いは異なる色を形成することができ、組み立てが完成したスライドドアのドア枠、或いはスライド窓の窓枠の正面と背面を多種の異なる色や、同様の色の組合せにし、使用者が自分で組合せを選択することができる、ペンキを更に塗る必要がなく、使用者に掛かるコストを節約することができる異質複合構造を具有する枠の部材を提供することを主な課題とする。
【０００５】
ドア枠、或いは窓枠を構成する上枠部材、及び固定辺枠部材は、一体押出成型による軟質圧迫材を具有し、固定ドア、或いは固定窓の表面と緊密に接触しており、ドア枠、或いは窓枠を構成する可動辺枠部材も一体押出成型による軟質圧迫材を具有し、可動ドア、或いは可動窓の表面と緊密に接触しており、それにより、異質複合構造の上枠、可動辺枠、固定辺枠、及び下枠により構成されるスライドドアのドア枠、或いはスライド窓の窓枠は、防水機能を具有する異質複合構造を具有する枠の部材を提供することを次の課題とする。
【課題を解決するための手段】
【０００６】
前記課題を解決するため、請求項１の考案は、スライドドア、或いはスライド窓を共に構成する上枠、可動辺枠、固定辺枠、及び下枠を含み、
前記上枠、前記可動辺枠、前記固定辺枠、及び前記下枠の構造は、それぞれに所属する枠組み主体、及び複合辺枠によって構成された一体構造の異質複合構造になっており、    
前記上枠、前記可動辺枠、及び前記固定辺枠に所属する複合辺枠は、所属する枠組み主体の前側部に覆い被さっており、
前記下枠に所属する複合辺枠は、所属する枠組み主体の後側部に覆い被さっており、
前記上枠に所属する枠組み主体は、スライド溝と固定溝を具有し、
前記可動辺枠に所属する枠組み主体は、可動ドア溝と凸部を具有し、
前記固定辺枠に所属する枠組み主体は、固定ドア溝を具有し、
前記下枠に所属する枠組み主体は、スライドレールを具有する
ことを特徴とする異質複合構造を具有する枠の部材である。
【０００７】
請求項２の考案は、前記上枠、前記可動辺枠、前記固定辺枠、及び前記下枠にそれぞれ所属する枠組み主体、及び複合辺枠は、一体構造を構成する異質異色の複合構造であることを特徴とする請求項１に記載の異質複合構造を具有する枠の部材である。
【０００８】
請求項３の考案は、前記上枠に所属する複合辺枠は、所属する枠組み主体の固定溝まで覆い被さっていることを特徴とする請求項１、或いは２に記載の異質複合構造を具有する枠の部材である。
【０００９】
請求項４の考案は、前記可動辺枠に所属する複合辺枠は、所属する枠組み主体の凸部まで覆い被さっていることを特徴とする請求項１、或いは２に記載の異質複合構造を具有する枠の部材である。
【００１０】
請求項５の考案は、前記固定辺枠に所属する枠組み主体の固定ドア溝の内側は、軟質圧迫材を具有することを特徴とする請求項１、或いは２に記載の異質複合構造を具有する枠の部材である。
【００１１】
請求項６の考案は、前記上枠に所属する複合辺枠は、軟質圧迫材を具有し、前記軟質圧迫材は、枠組み主体の固定溝の内側に伸びていることを特徴とする請求項１、或いは２に記載の異質複合構造を具有する枠の部材である。
【００１２】
請求項７の考案は、前記上枠、前記可動辺枠、前記固定辺枠、及び前記下枠に所属する枠組み主体は、熱可塑性発泡材質であり、所属する複合辺枠は、熱可塑性不発泡材質であることを特徴とする請求項１、或いは２に記載の異質複合構造を具有する枠の部材である。
【００１３】
請求項８の考案は、前記上枠、前記可動辺枠、前記固定辺枠、及び前記下枠に所属する枠組み主体は、カーボン繊維材質であり、所属する複合辺枠は、熱可塑性不発泡材質であることを特徴とする請求項１、或いは２に記載の異質複合構造を具有する枠の部材である。
【００１４】
請求項９の考案は、前記上枠、前記可動辺枠、前記固定辺枠、及び前記下枠に所属する枠組み主体は、原木を真似た色をしており、表面は、木目を真似た表面を形成していることを特徴とする請求項７に記載の異質複合構造を具有する枠の部材である。
【００１５】
請求項１０の考案は、前記上枠、前記可動辺枠、前記固定辺枠、及び前記下枠に所属する枠組み主体は、原木を真似た色をしており、表面は、木目を真似た表面を形成していることを特徴とする請求項８に記載の異質複合構造を具有する枠の部材である。
【考案の効果】
【００１６】
図７に示すように、使用者は、室内の壁面７１、室外の壁面７２の装飾に合わせ、上枠２０部材の枠組み主体２１の色、可動辺枠３０部材の枠組み主体３１の色、固定辺枠４０部材の枠組み主体４１の色、及び下枠５０部材の複合辺枠５２の色を選び、室内の壁面７１に装飾された色に合わせることができ、前記上枠２０の複合辺枠２２の色、前記可動辺枠３０の複合辺枠３２の色、前記固定辺枠４０の複合辺枠４２の色、及び前記下枠５０の枠組み主体５１の色を室外の壁面７２に装飾された色に合わせることができる。
【００１７】
そのため、選択された上枠２０、可動辺枠３０、固定辺枠４０、及び下枠５０によって構成されたドア枠１０は、室内、及び室外の装飾の格調と変化を表現することができ、ペンキを更に塗る必要はない。しかし、仮にドア枠１０の色を変える必要がある時は、ペンキを塗ることが可能である。
【００１８】
その他、図１に示すように、可動ドア６１、及び固定ドア６２を設置する時、上枠２０の軟質圧迫材２８、及び固定辺枠４０の軟質圧迫材４８を利用し、固定ドア６２の表面と密接に接触させ、同時に、可動辺枠３０の軟質圧迫材３８を利用し、可動ドア６１の表面と緊密に接触させ、水が室内に入るのを防ぐことが可能である。
【実施例１】
【００１９】
図３，４，５，６に示す上枠２０部材、可動辺枠３０部材、固定辺枠４０部材、及び下枠５０部材は、モジュール化設計された異質複合構造部材であり、それぞれ分けて設計し、スライドドアのドア枠、或いはスライド窓の窓枠を構成することができる。しかし、ドア枠と窓枠の構造は似ており、したがって、以下には、異質複合構造を具有する上枠２０部材、可動辺枠３０部材、固定辺枠４０部材、及び下枠５０部材により、スライドドアのドア枠を構成する様子を具体的な実施例の説明として用いるが、本考案の実施例の説明は、スライド窓の窓枠においての説明に当てはめることも可能である。
【００２０】
本考案の示す異質複合構造を具有する部材の材質は、熱塑性発泡材質、熱塑性不発泡材質、カーボン繊維材質の中から選ぶか、或いはその中から２種類の材質を組み合わせることができるが、以下に示す具体的な実施例では、熱塑性発泡材質、及び熱塑性不発泡材質を用い説明を行う。
【００２１】
図１，２に示すように、本考案が示す上枠２０、活動辺枠３０、固定辺枠４０、及び下枠５０は、共に、スライドドアのドア枠１０を構成しており、組み立てられたドア枠１０は、壁面８０に設置された後、金属、木材、或いはプラスチック等の異なる材質により製造された可動ドア６１、及び固定ドア６２が設置され、可動ドア６１が左右に移動するスライドドア（patio door）を作り上げる。
【００２２】
上枠２０、可動辺枠３０、固定辺枠４０、及び下枠５０のモジュール化された異質複合構造は、同時押出成型により、異質、異色の複合構造を一体製造することを最も良好な実施例とするが、異質、同色の複合構造も製造する必要があるので、本考案の上枠２０、可動辺枠３０、固定辺枠４０、及び下枠５０の正面、及び背面は、異なる材質の複合構造を形成し、異色系、或いは同色系を形成しており、それぞれの異質複合構造の断面形状は、図３，４，５，６に示す。
【００２３】
図２，３に示すように、前記上枠２０部材に所属する枠組み主体２１は熱塑性発泡材質（thermoplastic foam material）による押出成型により製造されており、所属する異なる色の複合辺枠２２は、異なる色の熱塑性不発泡材質(thermoplastic material)による押出成型により製造されているが、同時押出成型技術により、一体構造のモジュール化された異質異色複合構造になっている。
【００２４】
その中で、前記枠組み主体２１は、可動ドア６１がスライドするためのスライド溝２４と、固定ドア６２を設置するための固定溝２５を具有しており、壁面に設置する時、その前側部２３を室外側に、後側部２６を室内側に設置し、前記複合辺枠２２は、同時押出成型後、枠組み主体２１の前側部２３、及び固定溝２５上に覆い被さっており、この種の異質異色複合構造により、前側部２３と固定溝２５を含む上枠２０の正面部分は、背面部分の後側部２６と異なる材質で異なる色の構造を形成している。
【００２５】
特に、前記固定辺枠４０に所属する枠組み主体４１は、同時押出成型される時、その固定ドア溝４５の内側にあり、防水機能を具有する軟質圧迫材４８を一体押出成型することができ、そのため、固定ドア６２を前記固定ドア溝４５に設置する時、前記固定ドア溝４５の軟質圧迫材４８は固定ドア６２の表面と緊密に接触し、水が室内に入るのを防ぐことができる。
【００２６】
図２，３，４，５に示すように、前記下枠５０部材に所属する枠組み主体５１は、熱塑性発泡材質による押出成型により製造されており、所属する異なる色の複合辺枠５２は、熱塑性不発泡材質による押出成型により製造されているが、同時押出成型技術により、一体構造のモジュール化された異質異色複合構造になっている。
【００２７】
その中で、前記下枠５０は、可動ドア６１がスライドするためのスライドレール５５を具有しており、壁面に設置する時、その前側部５３を室外側に、後側部５６を室内側に設置し、前記複合辺枠５２は、同時押出成型後、枠組み主体５１の後側部５６上に覆い被さっており、この種の異質異色複合構造により、下枠５０の前側部５３、及び後側部５６は、異なる材質で異なる色の構造を形成している。
【００２８】
更に、前記下枠５０に所属する複合辺枠５２は、室内側に設置されるために、天然木目を真似た色や木目にすることができ、室内の設計に合わせることができる。
【００２９】
図２，３，４，５，６に示すように、前記可動辺枠３０に所属する枠組み主体３１は、熱塑性発泡材質による押出成型により製造されており、所属する異なる色の複合辺枠３２は、異なる色の熱塑性不発泡材質による押出成型により製造されているが、同時押出成型技術により、一体構造のモジュール化された異質異色複合構造になっている。
【００３０】
その中で、前記可動辺枠３０は、可動ドア６１を設置するための可動ドア溝３５と、同時に、可動ドア溝３５と前側部３３の中間には、凸部３７を具有し、壁面に設置する時、その前側部３３を室外側に、後側部３６を室内側に設置し、前記複合辺枠３２は、同時押出成型後、枠組み主体３１の前側部３３、及び凸部３７上に覆い被さっており、この種の異質異色複合構造により、前側部３３と凸部３７を含む可動辺枠３０の正面部分は、背面部分の後側部３６と異なる材質で異なる色の構造を形成している。
【００３１】
特に、前記可動辺枠３０に所属する複合辺枠３２は、同時押出成型される時、防水機能を具有する軟質圧迫材３８を一体押出成型することができ、前記軟質圧迫材３８は、前記可動辺枠３０に所属する枠組み主体３１の可動ドア溝３５内に伸びており、そのため、可動ドア６１を前記可動ドア溝３５に設置する時、前記可動ドア溝３５の軟質圧迫材３８は可動ドア６１の表面と緊密に接触し、水が室内に入るのを防ぐことができる。
【００３２】
そのために、本考案のモジュール化された異質複合構造を具有する上枠２０、可動辺枠３０、固定辺枠４０、及び下枠５０は、同時押出成型される過程において、熱塑性発泡材質、及び熱塑性不発泡材質を利用し、異なる色を組合せ、上枠２０、可動辺枠３０、固定辺枠４０、及び下枠５０の異質複合構造の部分を多種の異なる色の組合せにすることができる。更に、表面加工処理により、上枠２０、可動辺枠３０、固定辺枠４０、及び下枠５０の異質複合構造の部分を、木目のある表面や木目のない平らな表面に加工することができる。
【００３３】
例えば、本考案の上枠２０の枠組み主体２１の色と、可動辺枠３０の枠組み主体３１の色と、固定辺枠４０の枠組み主体４１の色と、下枠５０の複合辺枠５２の色を原木に真似た色にし、更に、表面を木目に真似た加工にし、スライドドアのドア枠１０を天然原木を使用したような感じにしたり、或いは下枠５０の複合辺枠５２を異なる色にして、色々な変化を持つ感じの部屋の飾りつけができる。
【図面の簡単な説明】
【００３４】
【図１】本考案のドア枠と可動ドアと固定ドアによって構成されたスライドドアを示したものである。
【図２】本考案のドア枠の分解図であり、上枠、可動辺枠、固定辺枠、下枠を含む。
【図３】図２に示す上枠２０の断面図であり、上枠２０は異質で異色の複合構造を具有し、異なる材料、及び異なる色による枠組み主体２１と複合辺枠２２が一緒に押出一体成型されており、複合辺枠２２は、軟質圧迫材２８を具有することを説明したものである。
【図４】図２に示す固定辺枠４０の断面図であり、固定辺枠４０は異質で異色の複合構造を具有し、異なる材料、及び異なる色による枠組み主体４１と複合辺枠４２が一緒に押出一体成型されており、枠組み主体４１は、軟質圧迫材４８を具有することを説明したものである。
【図５】図２に示す下枠５０の断面図であり、下枠２０は異質で異色の複合構造を具有し、異なる材料、及び異なる色による枠組み主体５１と複合辺枠５２が一緒に押出一体成型されていることを説明したものである。
【図６】図２に示す可動辺枠３０の断面図であり、可動辺枠３０は異質で異色の複合構造を具有し、異なる材料、及び異なる色による枠組み主体３１と複合辺枠３２が一緒に押出一体成型されており、複合辺枠３２は、軟質圧迫材３８を具有することを説明したものである。
【図７】本考案の使用状態の参考図である。
【符号の説明】
【００３５】
１０  ドア枠  
２０  上枠
２１  枠組み主体
２２  複合辺枠
２３  前側部
２４  スライド溝
２５  固定溝
２６  後側部
２８  軟質圧迫材
３０  可動辺枠
３１  枠組み主体
３２  複合辺枠
３３  前側部
３５  可動ドア溝
３６  後側部
３７  凸部
３８  軟質圧迫材
４０  固定辺枠
４１  枠組み主体
４２  複合辺枠
４３  前側部
４５  固定ドア溝
４６  後側部  
４８  軟質圧迫材
５０  下枠
５１  枠組み主体
５２  複合辺枠
５３  前側部
５５  スライドレール
５６  後側部
５８  軟質圧迫材
６１  可動ドア
６２  固定ドア
７１  室内の壁面
７２  室外の壁面
【図１】
0003101175.tif 000003
【図２】
0003101175.tif 000004
【図３】
0003101175.tif 000005
【図４】
0003101175.tif 000006
【図５】
0003101175.tif 000007
【図６】
0003101175.tif 000008
【図７】
0003101175.tif 000009